(57)【要約】  【課題】インターホン子機の呼出しに対して一般的な携帯電話機で応答でき、且つ公衆電話網の利用料金の発生を抑制することが可能な技術を提供する。  【解決手段】所定の携帯電話端末４（例えば住人等が携帯する携帯電話端末）が、屋内等に設置されている小型携帯電話基地局（フェムトセル）３に帰属しているならば、インターホン親機１は、インターホン子機２の呼出しに対して、固定電話網５および携帯電話網６を介さずに、この所定の携帯電話端末４とインターホン子機２との間にインターホン通話路を確立する。一方、所定の携帯電話端末４が小型携帯電話基地局３に帰属していないならば、インターホン親機１は、固定電話網５を介して、所定の電話番号を持つ端末とインターホン子機２との間にインターホン通話路を確立する。ここで、所定の電話番号とは、例えばこの所定の携帯電話端末４の電話番号である。【選択図】図１
2010068153.tif 000002
【特許請求の範囲】
【請求項１】
電話機能を備えたインターホン親機であって、
インターホン子機に接続するための子機インターフェース手段と、
小型携帯電話基地局に接続するための基地局インターフェース手段と、
前記小型携帯電話基地局に帰属している携帯電話端末を管理する帰属管理手段と、
呼制御手段と、を有し、
前記呼制御手段は、
前記子機インターフェース手段を介して前記インターホン子機から呼出し信号を受信した場合に、前記帰属管理手段により所定の携帯電話端末が管理されているならば、前記基地局インターフェース手段から、当該所定の携帯電話端末に対する接続要求を送信して、当該所定の携帯電話端末および当該インターホン子機間に通話路を確立する
ことを特徴とするインターホン親機。
【請求項２】
請求項１に記載のインターホン親機であって、
前記呼制御手段は、
前記子機インターフェース手段を介して前記インターホン子機から呼出し信号を受信した場合に、不在設定されているならば、前記子機インターフェース手段から不在メッセージを送信する
ことを特徴とするインターホン親機。
【請求項３】
請求項２に記載のインターホン親機であって、
留守録メッセージ記憶手段と、
前記不在メッセージ送出後、前記子機インターフェース手段を介して前記インターホン子機から留守録メッセージを受け付けて、当該留守録メッセージを前記留守録メッセージ記憶手段に記憶する留守録対応制御手段と、をさらに有する
ことを特徴とするインターホン親機。
【請求項４】
請求項１乃至３の何れか一項に記載のインターホン親機であって、
前記帰属管理手段により前記所定の携帯電話端末以外の携帯電話端末が管理されている場合に、所定の通報先に通報する通報手段をさらに有する
ことを特徴とするインターホン親機。
【請求項５】
請求項１乃至４の何れか一項に記載のインターホン親機であって、
携帯電話網に接続するための携帯電話網インターフェース手段と、
前記基地局インターフェース手段および前記携帯電話網インターフェース手段間を中継する携帯電話網中継手段と、をさらに有する
ことを特徴とするインターホン親機。
【請求項６】
請求項１乃至５の何れか一項に記載のインターホン親機であって、
前記呼制御手段は、
前記子機インターフェース手段を介して前記インターホン子機から呼出し信号を受信した場合に、前記帰属管理手段により前記所定の携帯電話端末が管理されていないならば、前記固定電話網インターフェース手段から、前記所定の携帯電話端末または所定の電話番号を有する端末に対する接続要求を送信して、当該所定の携帯電話端末または当該所定の電話番号を有する端末と当該インターホン子機との間に通話路を確立する
ことを特徴とするインターホン親機。
【発明の詳細な説明】
【技術分野】
【０００１】
本発明は、携帯電話端末を利用したインターホンシステムの技術に関する。
【背景技術】
【０００２】
一般に、インターホンシステムは、屋外に設置される来訪者用のインターホン子機と、屋内に設置される応答用のインターホン親機とを備えて構成される。現在、インターホン親機とコードレス電話システムとを一体化し、コードレス子機でもインターホン子機の呼出しに応答できるインターホンシステムが普及している。また、近年、携帯電話の普及とともに固定電話の契約をせず、携帯電話機のみを利用している世帯が徐々に増加しており、インターホン子機の呼出しに対して携帯電話機で応答できるインターホンシステムの製品化が望まれている。
【０００３】
これに関し、特許文献１には、インターホン子機の呼出しを公衆電話網経由で携帯電話機に着信させ、インターホン子機および携帯電話機間のインターホン通話を公衆電話網経由で実現する技術が開示されている。
【０００４】
また、特許文献２には、インターホン親機を介してインターホン子機と音声通信を行うための無線ＬＡＮ機能を携帯電話機に搭載する技術が開示されている。この技術によれば、公衆電話網を利用することなく携帯電話機を利用してインターホン通話が可能となる。
【特許文献１】特開２００２−１９４９３６号公報
【特許文献２】特開２００７−２８８２８７号公報
【発明の開示】
【発明が解決しようとする課題】
【０００５】
上記特許文献１、２に記載の技術によれば、インターホン子機の呼出しに対して携帯電話機で応答できる。しかし、特許文献１に記載の技術では、インターホン通話の度に公衆電話網の利用料金が発生するため、コストがかかる。また、特許文献２に記載の技術では、携帯電話機に無線ＬＡＮ機能を搭載させる必要がある。このため、現在普及している一般的な携帯電話機を利用できない。
【０００６】
本発明は上記事情に鑑みてなされたものであり、本発明の目的は、インターホン子機の呼出しに対して一般的な携帯電話機で応答でき、且つ公衆電話網の利用料金の発生を抑制することが可能な技術を提供することにある。
【課題を解決するための手段】
【０００７】
上記課題を解決するために、本発明では、所定の携帯電話端末（例えば住人等が携帯する携帯電話端末）が屋内等に設置されている小型携帯電話基地局（フェムトセル）に帰属しているならば、インターホン子機の呼出しに対して、公衆電話網を介さずに、この所定の携帯電話端末とインターホン子機との間に通話路を確立する。一方、所定の携帯電話端末が小型携帯電話基地局に帰属していないならば、インターホン子機の呼出しに対して、公衆電話網を介して、所定の携帯端末または所定の電話番号を持つ端末とインターホン子機との間に通話路を確立する。
【０００８】
例えば、本発明は、電話機能を備えたインターホン親機であって、
インターホン子機に接続するための子機インターフェース手段と、
小型携帯電話基地局に接続するための基地局インターフェース手段と、
前記小型携帯電話基地局に帰属している携帯電話端末を管理する帰属管理手段と、
呼制御手段と、を有し、
前記呼制御手段は、
前記子機インターフェース手段を介して前記インターホン子機から呼出し信号を受信した場合に、前記帰属管理手段により所定の携帯電話端末が管理されているならば、前記基地局インターフェース手段から当該所定の携帯電話端末に対する接続要求を送信して、当該所定の携帯電話端末および当該インターホン子機間に通話路を確立する。
【発明の効果】
【０００９】
本発明によれば、インターホン子機の呼出しに対して一般的な携帯電話機で応答でき、且つ公衆電話網の利用料金の発生を抑制することができる。
【発明を実施するための最良の形態】
【００１０】
以下、本発明の実施の形態について説明する。
【００１１】
図１は、本発明の一実施の形態に係るインターホン親機１を含むインターホンシステムの概略図である。
【００１２】
図示するように、本実施の形態のインターホン親機１は、インターホン子機２、小型携帯電話基地局３、固定電話網５、および携帯電話網６に接続される。ここで、インターホン親機１、および小型携帯電話基地局３は、屋内等に設置され、インターホン子機２は、屋外等に設置される。
【００１３】
インターホン親機１は、インターホン子機２の呼出しに対して、所定の携帯電話端末４（例えば住人等が携帯する携帯電話端末４）が小型携帯電話基地局３に帰属しているか否かを判断する。所定の携帯電話端末４が小型携帯電話基地局３に帰属している場合、インターホン親機１は、固定電話網５および携帯電話網６を介することなく、インターホン子機２と所定の携帯電話端末４との間にインターホン通話路を確立する。一方、所定の携帯電話端末４が小型携帯電話基地局３に帰属していない場合、インターホン親機１は、固定電話網５および携帯電話網６を介して、インターホン子機２と所定の携帯電話端末４との間にインターホン通話路を確立する。また、インターホン親機１は、携帯電話網６と小型携帯電話基地局３との間を中継する機能を有する。
【００１４】
図２は、インターホン親機１の概略構成図である。
【００１５】
図示するように、インターホン親機１は、子機ＩＦ部１０１と、固定電話網ＩＦ部１０２と、基地局ＩＦ部１０３と、携帯電話網ＩＦ部１０４と、帰属端末記憶部１０５と、帰属端末管理部１０６と、電話番号記憶部１０７と、メッセージ記憶部１０８と、留守録対応制御部１０９と、中継部１１０と、呼制御部１１１と、を有する。
【００１６】
子機ＩＦ部１０１は、インターホン子機２と接続するためのインターフェースである。
【００１７】
固定電話網ＩＦ部１０２は、固定電話網５に接続するためのインターフェースである。
【００１８】
基地局ＩＦ部１０３は、小型携帯電話基地局３と接続するためのインターフェースである。
【００１９】
携帯電話網ＩＦ部１０４は、携帯電話網６と接続するためのインターフェースである。
【００２０】
帰属端末記憶部１０５には、小型携帯電話基地局３に帰属している各携帯電話端末４の情報（電話番号等）が記憶される。
【００２１】
帰属端末管理部１０６は、基地局ＩＦ部１０３を介して小型携帯電話基地局３から、この小型携帯電話基地局３が定期的あるいは携帯電話端末４の帰属状態の変更等の所定のイベント発生時に送信する帰属情報を受信する。帰属情報は、この小型携帯電話基地局３に帰属している各携帯電話端末４の電話番号等の情報を含む。帰属端末管理部１０６は、この帰属情報に基づいて、帰属端末記憶部１０５の登録内容を更新する。
【００２２】
電話番号記憶部１０７には、所定の携帯電話端末４（例えば住人等が携帯する携帯電話端末４）の電話番号が記憶されている。
【００２３】
メッセージ記憶部１０８には、住人等が不在中に、来訪者に聞かせる不在メッセージ（例えば音声データ）が記憶されている。また、メッセージ記憶部１０８には、来訪者から受け付けた留守録メッセージ（音声データ）が記憶される。
【００２４】
留守録対応制御部１０９は、メッセージ記憶部１０８に記憶されている不在メッセージを読み出して、子機ＩＦ部１０１を介してインターホン子機２へ送信する。また、留守録対応制御部１０９は、子機ＩＦ部１０１を介してインターホン子機２から受け付けた留守録メッセージをメッセージ記憶部１０８に記憶する。さらに、留守録対応制御部１０９は、メッセージ記憶部１０８に記憶されている留守録メッセージを読み出して、固定電話網ＩＦ部１０２あるいは基地局ＩＦ部１０３を介して所定の携帯電話端末４へ送信する。
【００２５】
中継部１１０は、子機ＩＦ部１０１、固定電話網ＩＦ部１０２、基地局ＩＦ部１０３、および携帯電話網ＩＦ部１０４間を中継する。
【００２６】
そして、呼制御部１１１は、中継部１１０を制御して、子機ＩＦ部１０１と基地局ＩＦ部１０３との間、あるいは子機ＩＦ部１０１と固定電話網ＩＦ部１０２との間を中継することにより、インターホン子機２と所定の携帯電話端末４との間にインターホン通話路を確立する。
【００２７】
図３は、インターホン親機１の動作を説明するためのフロー図である。
【００２８】
呼制御部１１１は、子機ＩＦ部１０１を介してインターホン子機２から呼出し信号を受信すると（Ｓ１０でＹＥＳ）、後述するインターホン処理を実施する（Ｓ１１）。
【００２９】
また、帰属端末管理部１０６は、基地局ＩＦ部１０３を介して小型携帯電話基地局３から、小型携帯電話基地局３に帰属している携帯電話端末４の電話番号等を含む帰属情報を受信すると（Ｓ１２でＹＥＳ）、後述する帰属管理処理を実施する（Ｓ１３）。
【００３０】
また、呼制御部１１１は、固定電話網ＩＦ部１０２を介して固定電話網５から、あるいは基地局ＩＦ部１０３を介して小型携帯電話基地局３から、自インターホン親機１の電話番号（固定電話網５を利用するための電話番号がインターホン親機１に割り当てられている）を宛先番号とする接続要求を受信すると（Ｓ１４でＹＥＳ）、後述する不在設定・留守録再生処理を実施する（Ｓ１５）。
【００３１】
また、基地局ＩＦ部１０３は、小型携帯電話基地局３を介して携帯電話端末４から、自インターホン親機１の電話番号以外の電話番号を宛先番号とする接続要求を受信すると（Ｓ１６でＹＥＳ）、この接続要求を中継部１１０に渡す。これを受けて、中継部１１０は、この接続要求を携帯電話網ＩＦ部１０４から送信するとともに、基地局ＩＦ部１０３および携帯電話網ＩＦ部１０４を制御し、この接続要求の送信元と送信先との間を中継する（Ｓ１７）。同様に、携帯電話網ＩＦ部１０４は、自インターホン親機１の電話番号以外の電話番号を宛先番号とする接続要求を携帯電話網６から受信すると（Ｓ１６でＹＥＳ）、この接続要求を中継部１１０に渡す。これを受けて、中継部１１０は、この接続要求を基地局ＩＦ部１０３から送信するとともに、携帯電話網ＩＦ部１０４および基地局ＩＦ部１０３を制御し、この接続要求の送信元と送信先との間を中継する（Ｓ１７）。
【００３２】
図４は、図３に示すインターホン処理（Ｓ１１）を説明するためのフロー図である。
【００３３】
先ず、呼制御部１１１は、所定の携帯電話端末４が小型携帯電話基地局３に帰属中であるか否かを判断する（Ｓ１１０１）。具体的には、帰属端末記憶部１０５および電話番号記憶部１０７を参照し、電話番号記憶部１０７に記憶されている電話番号を持つ携帯電話端末４が、小型携帯電話基地局３に帰属中の携帯電話端末４として帰属端末記憶部１０５に記憶されているか否かを判断する。
【００３４】
所定の携帯電話端末４が小型携帯電話基地局３に帰属中である場合（Ｓ１１０１でＹＥＳ）、呼制御部１１１は、この所定の携帯電話端末４の電話番号を宛先番号とする接続要求を基地局ＩＦ部１０３から送信する（Ｓ１１０２）。そして、小型携帯電話基地局３を介して、自インターホン親機１および所定の携帯電話端末４間に通話路が確立したならば、中継部１１０を制御し、子機ＩＦ部１０１を介してインターホン子機２にこの通話路を接続する。これにより、インターホン子機２および所定の携帯電話端末４間にインターホン通話路を確立する（Ｓ１１０３）。
【００３５】
一方、所定の携帯電話端末４が小型携帯電話基地局３に帰属中でない場合（Ｓ１１０１でＮＯ）、自インターホン親機１が不在設定されているか否かをさらに判断する（Ｓ１１０４）。
【００３６】
自インターホン親機１が不在設定されている場合（Ｓ１１０４でＹＥＳ）、呼制御部１１１は、留守録対応制御部１０９に留守録対応を指示する。これを受けて、留守録対応制御部１０９は、メッセージ記憶部１０８に記憶されている不在メッセージを読み出して再生し、この再生信号を、子機ＩＦ部１０１を介してインターホン子機２へ送信する（Ｓ１１０５）。それから、留守録対応制御部１０９は、子機ＩＦ部１０１を介してインターホン子機２から留守録メッセージを受け付けて、この留守録メッセージをメッセージ記憶部１０８に記憶する（Ｓ１１０６）。
【００３７】
一方、自インターホン親機１が不在設定されていない場合（Ｓ１１０４でＮＯ）、呼制御部１１１は、この所定の携帯電話端末４の電話番号を宛先番号とする接続要求を、固定電話網ＩＦ部１０２から送信する（Ｓ１１０７）。そして、固定電話網５および携帯電話網６を介して、自インターホン親機１および所定の携帯電話端末４間に通話路が確立したならば、中継部１１０を制御し、子機ＩＦ部１０１を介してインターホン子機２にこの通話路を接続する。これにより、インターホン子機２および所定の携帯電話端末４間にインターホン通話路を確立する（Ｓ１１０８）。
【００３８】
なお、Ｓ１１０７において、接続要求に対する応答を所定の携帯電話端末４から所定時間内に受信しなかった場合、呼制御部１１１が留守録対応制御部１０９に留守録対応を指示することにより、留守録対応制御部１０９がＳ１１０５〜Ｓ１１０６を実施するようにしてもよい。
【００３９】
図５（Ａ）は、図３に示す帰属管理処理（Ｓ１３）を説明するためのフロー図である。
【００４０】
先ず、帰属端末管理部１０６は、帰属端末記憶部１０５に記憶されている各携帯電話端末４の電話番号等の情報を、新たに受信した帰属情報に含まれている帰属中の各携帯電話端末４の電話番号等の情報に更新する（Ｓ１３０１）。
【００４１】
次に、帰属端末管理部１０６は、帰属端末記憶部１０５および電話番号記憶部１０７を参照し、所定の携帯電話端末４以外の携帯電話端末４が小型携帯電話基地局３に帰属中であるか否かを判断する（Ｓ１３０２）。具体的には、所定の携帯電話端末４の電話番号として電話番号記憶部１０７に記憶されている電話番号以外の電話番号が帰属端末記憶部１０５に記憶されているか否かを判断する。
【００４２】
所定の携帯電話端末４以外の携帯電話端末４が小型携帯電話基地局３に帰属中である場合（Ｓ１３０２でＹＥＳ）、帰属端末管理部１０６は、呼制御部１１１に通報指示を出力する。これを受けて、呼制御部１１１は、固定電話網ＩＦ部１０２を介して所定の通報先（例えば保守サービス業者、所定の携帯電話端末４等）に発信して、所定の通報メッセージを送信する（Ｓ１３０３）。あるいは、帰属端末管理部１０６が、図示していない通信手段（例えば警報装置）により、所定の通報先に所定の通報メッセージを送信する。それから、このフローを終了する。
【００４３】
一方、所定の携帯電話端末４以外の携帯電話端末４が小型携帯電話基地局３に帰属中でない場合は（Ｓ１３０２でＮＯ）、直ちにこのフローを終了する。
【００４４】
図５（Ｂ）は、図３に示す不在設定・留守録再生処理（Ｓ１５）を説明するためのフロー図である。
【００４５】
先ず、呼制御部１１１は、固定電話網ＩＦ部１０２を介して固定電話網５から、あるいは基地局ＩＦ部１０３を介して小型携帯電話基地局３から受信した、自インターホン親機１の電話番号を宛先番号とする接続要求に応答し、この接続要求の送信元と自インターホン親機１との間に通話路を形成する。それから、呼制御部１１１は、この接続要求の送信元から、例えばＰＢ信号列からなる指示を受け付ける（Ｓ１５０１）。
【００４６】
次に、呼制御部１１１は、接続要求の送信元から受け付けた指示を解析する（Ｓ１５０２）。指示が不在設定の変更指示の場合（Ｓ１５０２で「不在設定」）、呼制御部１１１は、その指示内容が不在設定の有効化であるならば（Ｓ１５０３で「設定有効」）、自インターホン親機１の不在設定を有効にし（Ｓ１５０４）、不在設定の解除であるならば（Ｓ１５０３で「設定解除」）、自インターホン親機１の不在設定を解除する（Ｓ１５０５）。
【００４７】
一方、指示内容が留守録再生指示の場合（Ｓ１５０２で「留守録再生」）、呼制御部１１１は、留守録対応制御部１０９に留守録再生を指示する。これを受けて、留守録対応制御部１０９は、メッセージ記憶部１０８に留守録メッセージが記憶されているか否かを調べる。そして、留守録メッセージが記憶されているならば、この留守録メッセージを読み出して再生し、この再生信号を、固定電話網ＩＦ部１０２あるいは基地局ＩＦ部１０３を介して、接続要求の送信元に送信する（Ｓ１５０６）。
【００４８】
次に、図１に示すインターホンシステムの動作例を説明する。
【００４９】
図６は、所定の携帯電話端末４が小型携帯電話基地局３に帰属中である場合におけるインターホン処理を説明するためのシーケンス図である。
【００５０】
インターホン親機１は、インターホン子機２から呼出し信号を受信すると（Ｓ２０１）、所定の携帯電話端末４が小型携帯電話基地局３に帰属中であるか否かを判断する（Ｓ２０２）。
【００５１】
そして、インターホン親機１は、所定の携帯電話端末４が小型携帯電話基地局３に帰属中であることを確認すると、この所定の携帯電話端末４の電話番号を宛先番号とする接続要求を小型携帯電話基地局３に送信する（Ｓ２０３）。この接続要求は、小型携帯電話基地局３を介して所定の携帯電話端末４に着信する（Ｓ２０４）。
【００５２】
次に、所定の携帯電話端末４は、オフフック等の応答指示をユーザから受け付けると、接続応答を送信する（Ｓ２０５）。この接続応答は、小型携帯電話基地局３を介して、インターホン親機１に到達する（Ｓ２０６）。これにより、固定電話網５および携帯電話網６を経由することなく、インターホン親機１と所定の携帯電話端末４との間に通話路が確立される（Ｓ２０７）。
【００５３】
さて、インターホン親機１は、所定の携帯電話端末４との間に通話路が確立したならば、この通話路をインターホン子機２に接続する。これにより、インターホン子機２と所定の携帯電話端末４との間にインターホン通話路が確立される（Ｓ２０８）。
【００５４】
図７は、所定の携帯電話端末４が小型携帯電話基地局３に帰属しておらず、且つインターホン親機１が不在設定されていない場合におけるインターホン処理を説明するためのシーケンス図である。
【００５５】
インターホン親機１は、インターホン子機２から呼出し信号を受信すると（Ｓ２１１）、所定の携帯電話端末４が小型携帯電話基地局３に帰属中であるか否かを判断する（Ｓ２１２）。インターホン親機１は、所定の携帯電話端末４が小型携帯電話基地局３に帰属中でないことを確認すると、不在設定されているか否かをさらに判断する（Ｓ２１３）。そして、インターホン親機１は、不在設定されていないことを確認すると、この所定の携帯電話端末４の電話番号を宛先番号とする接続要求を固定電話網５に送信する（Ｓ２１４）。この接続要求は、固定電話網５および携帯電話網６を介して所定の携帯電話端末４に着信する（Ｓ２１５、Ｓ２１６）。
【００５６】
次に、所定の携帯電話端末４は、オフフック等の応答指示をユーザから受け付けると、接続応答を送信する（Ｓ２１７）。この接続応答は、携帯電話網６および固定電話網５を介してインターホン親機１に到達する（Ｓ２１８、Ｓ２１９）。これにより、固定電話網５および携帯電話網６を経由して、インターホン親機１と所定の携帯電話端末４との間に通話路が確立される（Ｓ２２０）。
【００５７】
さて、インターホン親機１は、所定の携帯電話端末４との間に通話路が確立したならば、この通話路をインターホン子機２に接続する。これにより、インターホン子機２と所定の携帯電話端末４との間にインターホン通話路が確立される（Ｓ２２１）。
【００５８】
図８は、所定の携帯電話端末４が小型携帯電話基地局３に帰属しておらず、且つインターホン親機１が不在設定されている場合におけるインターホン処理および留守録再生処理を説明するためのシーケンス図である。
【００５９】
インターホン親機１は、インターホン子機２から呼出し信号を受信すると（Ｓ２３１）、所定の携帯電話端末４が小型携帯電話基地局３に帰属中であるか否かを判断する（Ｓ２３２）。インターホン親機１は、所定の携帯電話端末４が小型携帯電話基地局３に帰属中でないことを確認すると、不在設定されているか否かをさらに判断する（Ｓ２３３）。そして、インターホン親機１は、不在設定されていることを確認すると、インターホン子機２に不在メッセージを送信し（Ｓ２３４）、インターホン子機２から留守録メッセージを受け付けて、それを記憶する（Ｓ２３５）。
【００６０】
次に、インターホン親機１は、例えば携帯電話網６および固定電話網５を介して所定の携帯電話端末４から、自インターホン親機１の電話番号を宛先番号とする接続要求が着信すると（Ｓ２３６〜Ｓ２３８）、この接続要求対する接続応答を所定の携帯電話端末４に返信する（Ｓ２３９〜Ｓ２４１）。これにより、インターホン親機１と所定の携帯電話端末４との間に通話路が確立される（Ｓ２４２）。
【００６１】
次に、インターホン親機１は、この通話路を介して所定の携帯電話端末４から、例えば所定のＰＢ信号列からなる留守録再生指示を受信すると（Ｓ２４３）、この通話路を介して所定の携帯電話端末４に、記憶している留守録メッセージを送信する（Ｓ２４４）。
【００６２】
以上、本発明の一実施の形態を説明した。
【００６３】
本実施の形態において、屋内等に設置されている小型携帯電話基地局３に所定の携帯電話端末４（例えば住人等が携帯する携帯電話端末）が帰属しているならば、インターホン親機１は、インターホン子機２の呼出しに対して、固定電話網５および携帯電話網６を介さずに、この所定の携帯電話端末４とインターホン子機２との間にインターホン通話路を確立する。一方、小型携帯電話基地局３に所定の携帯電話端末４が帰属していないならば、固定電話網５および携帯電話網６を介して、この所定の携帯電話端末４とインターホン子機２との間にインターホン通話路を確立する。
【００６４】
したがって、本実施の形態によれば、インターホン子機２の呼出しに対して一般的な（無線ＬＡＮ機能が搭載されていない）携帯電話端末４で応答することができる。また、固定電話網５および携帯電話網６の利用料金の発生を、所定の携帯電話端末４が小型携帯電話基地局３に帰属していない場合のみに抑制することができる。
【００６５】
また、本実施の形態において、インターホン親機１は、自インターホン親機１が不在設定されているならば、インターホン子機２の呼出しに対して、インターホン子機２に不在メッセージを送信する。したがって、本実施の形態によれば、所定の携帯電話端末４の所有者が不在の場合等のような、所定の携帯電話端末４が小型携帯電話基地局３に帰属していない場合に、訪問者を待たせることなく応対することができる。
【００６６】
また、本実施の形態において、インターホン親機１は、インターホン子機２に不在メッセージを送信した後、このインターホン子機２から留守録メッセージを受け付けて記憶する。したがって、本実施の形態によれば、所定の携帯電話端末４の所有者が不在の場合等のような、所定の携帯電話端末４が小型携帯電話基地局３に帰属していない場合に、所定の携帯電話端末４の所有者が訪問者の留守録メッセージを受け付けることができる。
【００６７】
また、本実施の形態において、インターホン親機１は、所定の携帯電話端末４以外の携帯電話端末４が小型携帯電話基地局３に帰属している場合に、所定の通報先に通報する。したがって、本実施の形態によれば、所定の携帯電話端末４以外の携帯電話端末４を所有する第三者（例えば不審者者）の侵入を検知して通報することができる。
【００６８】
また、本実施の形態において、インターホン親機１は、小型携帯電話基地局３と携帯電話網６との間を中継する。したがって、本実施の形態によれば、小型携帯電話基地局３に帰属している携帯電話端末４に対して携帯電話網６から発着信することができる。
【００６９】
なお、本発明は上記の実施の形態に限定されるものではなく、その要旨の範囲内で数々の変形が可能である。
【００７０】
例えば、上記の実施の形態において、所定の携帯電話端末４が小型携帯電話基地局３に帰属していない場合に、インターホン親機１は、インターホン子機２の呼出しに対して、固定電話網５および携帯電話網６を介して、この所定の携帯電話端末４とインターホン子機２との間にインターホン通話路を確立している。しかし、本発明はこれに限定されない。所定の携帯電話端末４が小型携帯電話基地局３に帰属していない場合に、電話番号記憶部１０７に記憶されている所定の電話番号（例えば留守番サービスを行う事業者の固定電話番号）に対して外線発信することにより、この電話番号を持つ端末とインターホン子機２との間にインターホン通話路が形成されるようにしてもよい。
【００７１】
また、上記の実施の形態において、図２に示すインターホン親機１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実行されるものでもよい。または、ＣＰＵ、メモリ、ＨＤＤ、ＤＶＤ−ＲＯＭ等の補助記憶装置、およびモデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【図面の簡単な説明】
【００７２】
【図１】図１は、本発明の一実施の形態に係るインターホン親機１を含むインターホンシステムの概略図である。
【図２】図２は、インターホン親機１の概略構成図である。
【図３】図３は、インターホン親機１の動作を説明するためのフロー図である。
【図４】図４は、図３に示すインターホン処理（Ｓ１１）を説明するためのフロー図である。
【図５】図５（Ａ）は、図３に示す帰属管理処理（Ｓ１３）を説明するためのフロー図であり、図５（Ｂ）は、図３に示す不在設定・留守録再生処理（Ｓ１５）を説明するためのフロー図である。
【図６】図６は、所定の携帯電話端末４が小型携帯電話基地局３に帰属中である場合におけるインターホン処理を説明するためのシーケンス図である。
【図７】図７は、所定の携帯電話端末４が小型携帯電話基地局３に帰属しておらず、且つインターホン親機１が不在設定されていない場合におけるインターホン処理を説明するためのシーケンス図である。
【図８】図８は、所定の携帯電話端末４が小型携帯電話基地局３に帰属しておらず、且つインターホン親機１が不在設定されている場合におけるインターホン処理および留守録再生処理を説明するためのシーケンス図である。
【符号の説明】
【００７３】
１：インターホン親機、２：インターホン子機、３：小型携帯電話基地局、４：携帯電話端末、５：固定電話網、６：携帯電話網、１０１：子機ＩＦ部、１０２：固定電話網ＩＦ部、１０３：基地局ＩＦ部、１０４：携帯電話網ＩＦ部、１０５：帰属端末記憶部、１０６：帰属端末管理部、１０７：電話番号記憶部、１０８：メッセージ記憶部、１０９：留守録対応制御部、１１０：中継部、１１１：呼制御部
【図１】
2010068153.tif 000003
【図２】
2010068153.tif 000004
【図３】
2010068153.tif 000005
【図４】
2010068153.tif 000006
【図５】
2010068153.tif 000007
【図６】
2010068153.tif 000008
【図７】
2010068153.tif 000009
【図８】
2010068153.tif 000010